(57)【要約】      （修正有）【課題】合成樹脂からなるベールを用いつつ、釣糸案内部材が高い強度を有する魚釣用スピニングリールを提供する。【解決手段】魚釣用スピニングリールは、ロータの支持アームの前部に設けられた一対のベール支持部材６，６と、一対のベール支持部材６，６に両端が支持される釣糸案内部材１０と、を備え、釣糸案内部材１０は、半環状のベール１１と、ベール１１の一端に連続するラインスライダー１２と、ラインスライダー１２と一対のベール支持部材６，６の一方との間に延在するローラ支持部２０と、ローラ支持部２０に外嵌されるラインローラ３０と、を備え、ベール１１とラインスライダー１２とは、合成樹脂により一体に形成され、ローラ支持部２０は、金属からなり、ラインスライダー１２に固着されていることを特徴とする。【選択図】図４
2015208313.tif 000002
【特許請求の範囲】
【請求項１】
ロータの支持アームの前部に設けられた一対のベール支持部材と、前記一対のベール支持部材に両端が支持される釣糸案内部材と、を備える魚釣用スピニングリールであって、
前記釣糸案内部材は、
半環状のベールと、
前記ベールの一端に連続するラインスライダーと、
前記ラインスライダーと前記一対のベール支持部材の一方との間に延在するローラ支持部と、
前記ローラ支持部に外嵌されるラインローラと、
を備え、
前記ベールと前記ラインスライダーとは、合成樹脂により一体に形成され、
前記ローラ支持部は、金属からなり、前記ラインスライダーに固着されていることを特徴とする魚釣用スピニングリール。
【請求項２】
前記ベールの断面形状は、前記ロータの回転中心の前後方向に沿う長さよりも直交する方向の長さのほうが短いことを特徴とする請求項１に記載の魚釣用スピニングリール。
【発明の詳細な説明】
【技術分野】
【０００１】
本発明は、魚釣用スピニングリールに関するものである。
【背景技術】
【０００２】
魚釣用スピニングリールには、一対のベール支持部材に両端を支持されて、スプールを周回する半環状の釣糸案内部材が設けられている。
釣糸案内部材は、下記特許文献１に開示されるように、釣糸を拾い上げるためのベールと、ベールの一端側に位置し、釣糸をスプールに案内するラインローラと、そのラインローラを支持するためのローラ支持部と、を主に備えている。
【０００３】
ところで、下記特許文献１によれば、ベールの軽量化を図るため、ベールが合成樹脂により形成されている。また、ベールの一端側がローラ支持部の孔に嵌合することで、合成樹脂からなるベールがローラ支持部に連結している（特許文献１の図３を参照）。
さらに、下記特許文献１の変形例によれば、ローラ支持部が合成樹脂によりベールと一体形成されている（特許文献１の図４を参照）。
【先行技術文献】
【特許文献】
【０００４】
【特許文献１】実公平１−４４０５８号公報
【発明の概要】
【発明が解決しようとする課題】
【０００５】
ここで、ベールを合成樹脂で形成しつつ、釣糸案内部材の更なる強度向上を図りたい、という要望があった。
【０００６】
本発明は、前記課題を解決するためになされたものであり、ベールを合成樹脂で形成しつつ、高い強度を有する釣糸案内部材を備えた魚釣用スピニングリールを提供することを目的とする。
【課題を解決するための手段】
【０００７】
前記目的を達成するために本発明の魚釣用スピニングリールは、ロータの支持アームの前部に設けられた一対のベール支持部材と、前記一対のベール支持部材に両端が支持される釣糸案内部材と、を備える魚釣用スピニングリールであって、前記釣糸案内部材は、半環状のベールと、前記ベールの一端に連続するラインスライダーと、前記ラインスライダーと前記一対のベール支持部材の一方との間に延在するローラ支持部と、前記ローラ支持部に外嵌されるラインローラと、を備え、前記ベールと前記ラインスライダーとは、合成樹脂により一体に形成され、前記ローラ支持部は、金属からなり、前記ラインスライダーに固着されていることを特徴とする。
【０００８】
前記する発明によれば、ベールとラインスライダーとが合成樹脂により一体に形成されているため、外力が作用しても、ベールとラインスライダーとが分離しない。また、ラインスライダーがローラ支持部に固着されているため、外力が作用しても、ラインスライダーとローラ支持部とが分離しない。このような高い強度を有する釣糸案内部材によれば、ベールとラインスライダーとローラ支持部との連続性（一体性）が確保され、釣糸がラインローラに確実に案内される。
また、前記する発明によれば、ローラ支持部が金属からなり、ローラ支持部の強度が高い。このため、釣糸巻取り時に釣糸から受ける外力が大きくても、ローラ支持部が変形及び折損し難く、ラインローラによる釣糸の案内がスムーズに行われる。
【０００９】
また、前記する発明によれば、ベール及びラインスライダーが合成樹脂で形成されて軽量化するため、釣糸案内部材を支持するロータの重心がロータの回転中心に近づき、ロータの回転バランスが良化する。
また、ベールが弾性力により元の形状に復帰することから、外力により釣糸案内部材の両端が開き、釣糸案内部材の反転が渋くなる、という事態が起こり難い。
さらに、合成樹脂からなるベールは、外力が入力されると変形して外力を吸収する。このため、ベール支持部材を回動自在に支持する軸部に伝達される外力が低減し、ベール支持部材の良好な回動が維持される。
【００１０】
また、前記する発明において、前記ベールの断面形状は、前記ロータの回転中心の前後方向に沿う長さよりも直交する方向の長さのほうが短いことが好ましい。
【００１１】
前記する構成によれば、ベールの反転方向から入力される外力に対し、高い強度を有する一方で、ベールのロータの回転中心に向う外力に対してベールが変形し易い。
このため、衝撃が伴うベールの反転動作が繰り返される実用下においても充分な強度が維持できると共に、ベール反転時の円滑な作動も常時得られる。
【発明の効果】
【００１２】
本発明によれば、釣糸案内部材の強度が向上し、魚釣用スピニングリールの初期性能が長期に亘って維持されることになる。
また、本発明によれば、ロータの回転バランスが良化するため、魚釣用スピニングリールの操作性が向上する。
また、ベール支持部材の良好な回動が維持されることから、釣糸案内部材の安定した反転（回動）が長期に亘って実現する。
【図面の簡単な説明】
【００１３】
【図１】実施形態に係る魚釣用スピニングリールを右側から見た右側面図である。
【図２】実施形態に係る魚釣用スピニングリールを左側から見た左側面図である。
【図３】実施形態に係る魚釣用スピニングリールを前側から見た正面図である。
【図４】ラインスライダー及びローラ支持部の断面図である。
【図５】図３のＢ１−Ｂ１線矢視断面図である。
【発明を実施するための形態】
【００１４】
以下、本発明に係る魚釣用スピニングリールの実施施形態について図面を参照して説明する。なお、以下の説明において、「前後」、「上下」とは、図１に示した方向を基準とし、「左右」とは、図３に示した方向を基準とする。
【００１５】
図１〜図３に図示される魚釣用スピニングリール１は、釣糸案内部材１０が釣糸巻き取り位置に配置された状態時のものである。
図１〜図３に示すように、魚釣用スピニングリール１は、リール本体２と、リール本体２の前方に配置された略円筒状のロータ４と、ロータ４の前方に配置された略円筒状のスプール３と、ロータ４に連結する釣糸案内部材１０（特に図３参照）と、を備えている。
【００１６】
図１、図２に示すように、リール本体２の上部には、魚釣用スピニングリール１を釣竿（不図示）に取り付けるための脚部２ａが形成されている。脚部２ａは、リール本体２から上方へ延び、その上端から前後方向に分かれて延びている。
また、図２に示すように、リール本体２の左側部には、左右方向に延びるハンドル軸（不図示）周りに回転可能なハンドル２ｂが設けられている。
【００１７】
リール本体２内には、ハンドル２ｂの回転操作に伴いハンドル軸周りに回転するドライブギャ（不図示）と、前後方向に延びる中空の駆動軸筒（不図示）と、駆動軸筒に外嵌されてドライブギャに噛合するピニオンギャ（不図示）と、が設けられている。なお、図１、図３の符号「Ｓ」は、駆動軸筒の回転中心（ロータ４の回転中心）を指す。
さらに、駆動軸筒の前部には、ロータ４が取り付けられ、ハンドル２ｂの回転操作によりロータ４と釣糸案内部材１０とが回転中心Ｓ周りに回転する。
【００１８】
駆動軸筒内には、スプール軸（不図示）が挿通され、そのスプール軸の前部にスプール３が取り付けられている。
また、スプール軸の後部は、駆動歯車に連動するオシレーティング機構に連結している。このため、ハンドル２ｂの回転操作により駆動歯車が回転すると、スプール軸及びスプール３が前後動し、スプール３に釣糸が平行かつ均等に巻回される。
【００１９】
ロータ４の径方向外側には、前方に延びる一対の支持アーム５、５が形成されている。図３に示すように、一対の支持アーム５、５は、互いに回転中心Ｓを中心に略１８０度ずれて対向配置されている。
【００２０】
図１、図２に示すよう、一対の支持アーム５には、一対の支持アーム５の前端部から前方に延びて釣糸案内部材１０を支持する一対のベール支持部材６、６が設けられている。
なお、一対のベール支持部材６、６において、スプール３の右側に配置されたベール支持部材６を右側ベール支持部材６ａと称し、スプール３の左側に配置されたベール支持部材６を左側ベール支持部材６ｂと称する。
【００２１】
一対のベール支持部材６、６は、図示しない軸部が左右方向に延びる連結具５ａ、５ｂにより、一対の支持アーム５、５に反転自在に支持されている。
また、一対のベール支持部材６、６は、連結具５ａ、５ｂの軸部を中心に、下側に向かって略１２０度回動自在になっている（図１の矢印Ａ１と、図２の矢印Ａ２とを参照）。
そして、一対のベール支持部材６、６が下側に向かって回動した場合に釣糸案内部材１０は下側に反転し（図１の矢印Ａ３を参照）、釣糸案内部材１０が釣糸放出位置へ移動する。
【００２２】
図３、図４に示すように、釣糸案内部材１０は、略円弧状に延びるベール１１と、ベール１１の右端部１１ｂに連続するラインスライダー１２と、ラインスライダー１２に固着するローラ支持部２０（特に図４参照）と、ローラ支持部２０に外嵌されたラインローラ３０と、を備えている。また、ベール１１とラインスライダー１２は、合成樹脂により一体に形成されている。
【００２３】
図３に示すように、ベール１１は、一対のベール支持部材６、６の回動により釣糸を拾い上げてラインローラ３０へ案内するための部位であり、ロータ４の回転中心Ｓを中心に略半円弧状を呈している。
図２、図３に示すように、ベール１１の左端部１１ａは、左側ベール支持部材６ｂの孔６ｃに嵌合し、ベール１１の左側が左側ベール支持部材６ｂに支持されている。
【００２４】
ベール１１は、上記したように合成樹脂で形成され、外力が入力した場合に変形し、その入力された外力を吸収する。また、外力が入力してベール１１が変形したとしても、弾性力により元の形状に復帰し、所定形状を維持する。
【００２５】
図５に示すように、ベール１１の断面形状は、略矩形状であるとともに角部が面取りされ、略小判状に形成されている。
また、ベール１１の断面形状は、図１の釣糸巻き取り状態において、ロータ４の回転中心Ｓ１の前後方向に沿う長さＬ１よりも、前後方向の回転中心Ｓに直交する方向で対向する径方向の長さＬ２のほうが短い。このため、ベール１１の反転方向からの外力に対し、ベール１１が高い強度を有し、一方で、ベール１１の回転中心Ｓに直交する方向の径方向からの外力に対し、ベール１１が変形し易くなっている。
【００２６】
図３に示すように、ラインスライダー１２は、ベール１１により拾い上げられた釣糸をラインローラ３０に誘導するための部位である。ラインスライダー１２は、ベール１１の右端部１１ｂからラインローラ３０に向かって次第に拡径する円錐台径状を呈し、中実となっている。
また、ラインスライダー１２は、合成樹脂で形成されているため、外力が入力して変形したとしても、弾性力により元の形状に復帰し、所定形状を維持する。
【００２７】
なお、ベール１１とラインスライダー１２を形成する合成樹脂の種類としては、ポリプロピレン（ＰＰ）、ポリカーボネイト（ＰＣ）、ポリエチレン（ＰＥ）、ポリアミド（ＰＡ）などが挙げられるが、ベール１１とラインスライダー１２を一体に形成できれば、前述したものに限定されない。
【００２８】
また、ベール１１とラインスライダー１２を形成する合成樹脂は、比重の小さいほうが好ましい。図３に示すように、釣糸案内部材１０は、スプール３の右側からスプール３の上側を跨いでスプール３の左側に延在しているものの、スプール３の下側に延在していない。このため、釣糸案内部材１０を支持するロータ４の重心が回転中心Ｓから離れて偏心している。
よって、比重が小さい合成樹脂を使用することで、ロータ４の重心が回転中心Ｓに近づけることができ、ロータ４の回転バランスが良化する。また、釣糸案内部材１０が軽量化して、ハンドル２ｂの回転操作に対するロータ４のレスポンスが向上し、操作性が向上する。
【００２９】
図４に示すように、ローラ支持部２０は、ラインローラ３０を保持するとともに、ラインスライダー１２と右側ベール支持部材６ａとを連結するための部材である。
また、ローラ支持部２０は、金属からなり、ローラ支持部２０の強度が確保されている。このため、釣糸巻取り時にラインローラ３０が釣糸から受ける外力が大きくても、ローラ支持部２０は変形及び折損し難く、ラインローラ３０による釣糸の案内がスムーズに行われる。
【００３０】
ローラ支持部２０は、ラインスライダー１２と右側ベール支持部材６ａとの間に延在する略円筒状の円筒部２１と、円筒部２１から上方に延出してラインスライダー１２に埋設される略円柱状の埋設部２２とを備えている。
【００３１】
埋設部２２は、ベール１１とラインスライダー１２とを合成樹脂で一体成形する際にインサートされることで、ラインスライダー１２に埋設される。このため、ラインスライダー１２とローラ支持部２０とが一体となり、外力が作用してもラインスライダー１２からローラ支持部２０が抜け難くなっている。
また、埋設部２２の側部には、埋設部２２の外周面から径方向外側に突出する抜け止め部２３が形成され、ラインスライダー１２からローラ支持部２０が極めて抜け難くなっている。
【００３２】
埋設部２２の基部側には、埋設部２２外周面から径方向外側に延びてラインスライダー１２の端面１２ａを被覆する被覆部２４が形成されている。このため、釣糸がラインスライダー１２の端面１２ａに沿って移動する場合の抵抗が低減し、釣り糸がラインスライダー１２にスムーズに移動することとなる。
【００３３】
円筒部２１の内周面には、雌ねじ溝２１ａが形成されている。
そして、右側ベール支持部材６ａの貫通孔６ｄに挿通された固定用ボルト３５の雄ねじ部が、円筒部２１の雌ねじ溝２１ａに螺合することで、固定用ボルト３５が右側ベール支持部材６ａをローラ支持部２０に締め付け、釣糸案内部材１０の右側が右側ベール支持部材６ａに支持される。
【００３４】
ラインローラ３０は、ローラ支持部２０の円筒部２１に外嵌される第１軸受３１、第２軸受３２と、その第１軸受３１、第２軸受３２に外嵌される略円筒状のローラ部３３と、を備える。
第１軸受３１と第２軸受３２との間には、環状の位置決め部材３４が介在している。また、第１軸受３１の内輪３１ａの上端面がローラ支持部２０の端面に当接し、第２軸受３２の内輪３２ａの下端面が右側ベール支持部材６ａの端面に当接している。このため、第１軸受３１と第２軸受３２とがローラ支持部２０の軸方向に位置ずれしないように規制されている。
【００３５】
つぎに、魚釣用スピニングリール１の釣糸案内部材１０に外力が入力した場合について説明する。
【００３６】
図１〜図３に示すように、魚釣用スピニングリール１において、釣糸案内部材１０のベール１１は、スプール３やロータ４よりも径方向外側に位置している。よって、釣竿を地面に置いた場合や柵等に立てかけた場合、スプール３やロータ４などの他の部品よりもベール１１が地面等に接触して外力が入力し易い。
【００３７】
そして、ベール１１に外力が入力されたとしても、ベール１１とラインスライダー１２とが合成樹脂により一体に形成されているため、ベール１１とラインスライダー１２とは分離しない。
【００３８】
また、ベール１１に入力された外力がラインスライダー１２やローラ支持部２０に伝達されたとしても、ラインスライダー１２とローラ支持部２０とがインサート成形により一体に形成されているため、ラインスライダー１２とローラ支持部２０とが分離しない。
【００３９】
このように、釣糸案内部材１０の強度が高いため、外力が釣糸案内部材１０全体に作用しても、ベール１１とラインスライダー１２とローラ支持部２０との連続性（一体性）が確保され、ラインローラ３０への釣糸の案内が確実に行われる。
【００４０】
また、ベール１１に外力が入力しても、合成樹脂からなるベール１１が変形して外力を吸収するため、連結具５ａ、５ｂの軸部に伝達する外力が低減する。
特に、ベール１１に外力が入力される方向は、主にベール１１の回転中心Ｓに直交する方向の径方向であり、ベール１１が大きく変形し易い方向である。このため、ベール１１の変形により吸収される外力も大きく、連結具５ａ、５ｂの軸部に伝達する外力が大幅に低減する。このため、連結具５ａ、５ｂの軸部が痛み難く、一対のベール支持部材６、６の良好な回動が維持される。
なお、ベール１１は、ベール１１の回転中心Ｓに直交する方向からの外力に変形し易いものの、ベール１１の反転方向からの外力に対してベール１１が高い強度を有し、衝撃が伴うベール１１の反転動作が繰り返される実用下においても充分な強度が維持されている。
【００４１】
また、ベール１１が弾性力により元の形状に復帰することから、落下等により外力により釣糸案内部材１０の両端が開くことがない。このため、両端が開いた釣糸案内部材１０がベール支持部材６に接触して釣糸案内部材１０の反転が渋くなる、という事態が起こり難い。
【００４２】
以上、実施形態に係る魚釣用スピニングリール１によれば、釣糸案内部材１０が高い強度を有し、魚釣用スピニングリール１が持つ初期性能を長期に亘って維持することができる。
また、一対のベール支持部材６、６の良好な回動が維持されることから、釣糸案内部材１０の安定した反転（回動）が長期に亘って実現する。
また、ロータ４の回転バランスが良化するため、魚釣用スピニングリール１の操作性が向上する。
【００４３】
以上、実施形態に係る魚釣用スピニングリール１について説明したが、本発明はこれに限定されない。
実施形態に係るベール１１の断面形状が略小判状になっているが（図５参照）、本発明はこれに限定されない。たとえば、ベール１１の断面形状は、真円や、ベールの反転方向の長さが長い楕円であってもよく、前述する楕円の場合には、実施形態と同様な効果を得ることができる。
【００４４】
また、実施形態では、ローラ支持部２０の埋設部２２がインサート成形されることにより、ローラ支持部２０とラインスライダー１２とが一体になっているが、本発明はこれに限定されない。
ローラ支持部２０の一端側に突設した固定部の外周に雄ねじ部を形成して、ラインスライダー１２の端部内側に螺合させることで一体化してもよい。
または、ラインスライダー１２の端部内側に穴を形成するとともにその穴に接着材を塗布し、ローラ支持部２０の端部に形成した突部を嵌入させることで一体化してもよい。
つまり、本発明は、ローラ支持部２０とラインスライダー１２とが分離し難ければよく、前述したインサート成形、螺合、接着又は圧入等のいずれか、又はこれらの組み合わせであってもよい。
【００４５】
また、実施形態では、ベール１１とラインスライダー１２とが合成樹脂により一体に形成されているが、ベール１１の左端部１１ａを支持する左側ベール支持部材６ｂをベール１１とラインスライダー１２とともに合成樹脂により一体に形成してもよい。
このような変形例によれば、合成樹脂で形成された左側ベール支持部材６ｂも変形して外力を吸収できるようになる。このため、左側ベール支持部材６ｂを回動自在に支持する連結具５ｂの軸部の変形がさらに抑制されるようになる。
なお、左側ベール支持部材６ｂを合成樹脂で形成する場合には、金属で形成した場合よりも軽くなるため、合成樹脂内にバランサー（重り）を適宜内蔵させて、ロータ４の回転バランスの調整が図られる。
【符号の説明】
【００４６】
１      魚釣用スピニングリール
２      リール本体
３      スプール
４      ロータ
５      支持アーム
６（６ａ、６ｂ）  ベール支持部材
１０    釣糸案内部材
１１    ベール
１２    ラインスライダー
２０    ローラ支持部
２１    円筒部
２２    埋設部
３０    ラインローラ
【図１】
2015208313.tif 000003
【図２】
2015208313.tif 000004
【図３】
2015208313.tif 000005
【図４】
2015208313.tif 000006
【図５】
2015208313.tif 000007